(57)【要約】【課題】本発明は、柱体（１１、２１）の劣化による柱体（１１、２１）の倒壊又は折損を抑止するための柱体（１１、２１）の補強方法及び被覆樹脂材（１４−１及び２、２４−１及び２）で被覆された柱体（１１、２１）を提供することを課題とする。【解決手段】  柱体（１１、２１）の末端が基台（１３、２３）に埋設されて柱体（１１、２１）が基台（１３、２３）に固定されている柱体（１１、２１）の補強工法であって、  柱体（１１、２１）は、基台（１３、２３）上に露出する柱体（１１、２１）の側面に劣化部分（１２、２２）を有し、  柱体（１１、２１）の劣化部分（１２、２２）を含む部分から基台（１３、２３）中の埋設部分までの柱体（１１、２１）の側面を、  被覆樹脂材（１４−１及び２、２４−１及び２）で被覆して、基台（１３、２３）に埋設して基台（１３、２３）に固定する柱体（１１、２１）の補強工法。【選択図】図４
2018109351.tif 000002
【特許請求の範囲】
【請求項１】
柱体の末端が基台に埋設されて前記柱体が前記基台に固定されている柱体の補強工法であって、
前記柱体は、前記基台上に露出する前記柱体の側面に劣化部分を有し、
前記柱体の前記劣化部分を含む部分から前記基台中の埋設部分までの前記柱体の側面を、被覆樹脂材で被覆して、前記基台に埋設して前記基台に固定する柱体の補強工法。
【請求項２】
前記柱体が管体である請求項１記載の柱体の補強工法。
【請求項３】
前記管体が金属管である請求項２記載の柱体の補強工法。
【請求項４】
前記柱体の管内に、
前記基台中の埋設部分から前記柱体の前記劣化部分を含む部分の高さまで硬化性組成物を充填して硬化させる請求項２又は３記載の柱体の補強工法。
【請求項５】
前記被覆樹脂材が繊維強化樹脂シートである請求項１〜４のいずれか１項記載の柱体の補強工法。
【請求項６】
請求項１〜５のいずれか１項記載の柱体の補強工法で製造されうる、
請求項１〜５のいずれか１項記載の基台に埋設して固定されている請求項１〜５記載の被覆樹脂材で被覆された柱体。
【発明の詳細な説明】
【技術分野】
【０００１】
本発明は、柱体の補強方法及び被覆樹脂材で被覆された柱体に関する。
【背景技術】
【０００２】
特許文献１には、コンクリート製電柱の補修すべき箇所の表面に、炭素繊維を強化繊維とする補強材を巻き付け、次いでその最外層上に絶縁性繊維の強化繊維シートを巻き付けて前記炭素繊維の補強材の露出をなくし、然る後にこれら炭素繊維及び絶縁性繊維に含浸した熱硬化性樹脂を硬化することを特徴とするコンクリート製電柱の補修方法が開示されている。
【先行技術文献】
【特許文献】
【０００３】
【特許文献１】特開平５−３３２０３２号公報
【発明の概要】
【発明が解決しようとする課題】
【０００４】
近年、交通環境の整備に伴い、街路灯（１２）や道路標識支柱（２２）の整備が進んでいる。
一方で、街路灯（１２）や道路標識支柱（２２）等の柱体（１１、２１）はΓ字型であり、柱体（１１、２１）の埋設部分の近傍に大きな負荷がかかるため、柱体（１１、２１）が様々な要因で劣化した場合、特に、これらの柱体（１１、２１）の埋設部分の近傍が劣化した場合、柱体（１１、２１）が倒壊又は折損するリスクが高くなる。
【０００５】
特許文献１に開示される補修方法で、このような柱体の劣化部分（１２、２２）の表面に補強材を巻き付けるだけでは、柱体の倒壊又は折損リスクを低減することは容易でない。
【０００６】
本発明は、柱体（１１、２１）の劣化による柱体（１１、２１）の倒壊又は折損を抑止するための柱体（１１、２１）の補強方法及び被覆樹脂材（１４−１及び２、２４−１及び２）で被覆された柱体（１１、２１）を提供することを課題とする。
【課題を解決するための手段】
【０００７】
本発明は、
〔１〕柱体（１１、２１）の末端が基台（１３、２３）に埋設されて前記柱体（１１、２１）が前記基台（１３、２３）に固定されている柱体（１１、２１）の補強工法であって、  前記柱体（１１、２１）は、前記基台（１３、２３）上に露出する前記柱体（１１、２１）の側面に劣化部分（１２、２２）を有し、  前記柱体（１１、２１）の前記劣化部分（１２、２２）を含む部分から前記基台（１３、２３）中の埋設部分までの前記柱体（１１、２１）の側面を、  被覆樹脂材（１４−１及び２、２４−１及び２）で被覆して、前記基台（１３、２３）に埋設して前記基台（１３、２３）に固定する柱体（１１、２１）の補強工法。（以下、本発明１ともいう）、及び、〔２〕前項〔１〕又は〔２〕記載の柱体（１１、２１）の補強工法で製造されうる、  前項〔１〕又は〔２〕記載の基台（１３、２３）に埋設して固定される前項〔１〕又は〔２〕の被覆樹脂材（１４−１及び２、２４−１及び２）で被覆された柱体（１１、２１）（以下、本発明２ともいう）に関する。
【発明の効果】
【０００８】
本発明によれば、柱体（１１、２１）の劣化による柱体（１１、２１）の倒壊又は折損を抑止するための柱体（１１、２１）の補強方法及び被覆樹脂材（１４−１及び２、２４−１及び２）で被覆された柱体（１１、２１）を提供することができる。
【図面の簡単な説明】
【０００９】
【図１】実施態様例１における柱体（１１）（街路灯）が基台（１３）（コンクリート硬化体）に埋設されて固定されている柱体（１１）の側面と柱体（１１）の埋設部分近傍の基台（１３）の模式図（図１（ａ））と、図１（ａ）の破線で囲まれた部分Ｓの柱体（１３）の側面と基台（１３）の断面の模式図（図１（ｂ））である。
【図２】実施態様例１において、柱体（１１）の基台（１３）中の埋設部分を、基台（１３）を掘削して露出させた状態の模式図（図２（ａ））と、図２（ａ）の破線で囲まれた部分Ｓの断面の模式図（図２（ｂ））である。
【図３】実施態様例１において、柱体（１１）の劣化部分（１２）を含む部分から基台（１３）中の埋設部分までの柱体（１１）の側面を第１の被覆樹脂材（１４−１）で被覆した状態の模式図（図３（ａ））と、図３（ａ）の破線で囲まれた部分Ｓの断面の模式図（図３（ｂ））である。
【図４】実施態様例１において、第１の被覆樹脂材（１４−１）の上をさらに第２の被覆樹脂材（１４−２）で巻き込んで被覆した状態の模式図（図４（ａ））と、図４（ａ）の破線で囲まれた部分Ｓの断面の模式図（図４（ｂ））である。
【図５】第１の被覆樹脂材（１４−１）及び２（１４−２）で被覆した状態のまま、柱体（１１）の基台（１３）下に埋設していた部分を、再び基台（１３）中に埋設して基台（１３）に固定された柱体（１１）の状態の模式図（図５（ａ））と、図５（ａ）の破線で囲まれた部分Ｓの断面の模式図（図５（ｂ））である。
【図６】実施態様例２における柱体（２１）（道路標識支柱）が基台（２３）（コンクリート硬化体）に埋設されて固定されている柱体（２１）の側面と柱体（２１）の埋設部分近傍の基台（２３）の模式図（図６（ａ））と、図６（ａ）の破線で囲まれた部分Ｓの柱体（２３）の側面と基台（２３）の断面の模式図（図６（ｂ））である。
【図７】実施態様例２において、柱体（２１）の劣化部分（２２）の上方側面に、柱体（２１）の管内に硬化性組成物を充填するための硬化性組成物投入孔（２１−５）を設けた状態の模式図（図７（ａ））と、図７（ａ）の破線で囲まれた部分Ｓの柱体（２３）の側面と基台（２３）の断面の模式図（図７（ｂ））である。
【図８】実施態様例２において、柱体（２１）の管内に、鉄筋（２５−２）を設置した状態の模式図（図８（ａ））と、図８（ａ）の破線で囲まれた部分Ｓの柱体（２３）の側面と基台（２３）の断面の模式図（図８（ｂ））である。
【図９】実施態様例２において、柱体（２１）の管内に、劣化部分（２２）の上方まで硬化性組成物（２５−３）を充填した状態の模式図（図９（ａ））と、図９（ａ）の破線で囲まれた部分Ｓの柱体（２３）の側面と基台（２３）の断面の模式図（図９（ｂ））である。である。
【図１０】実施態様例２において、柱体（２１）の管内に硬化性組成物（２５−３）を充填した後に、硬化性組成物投入孔（２１−５）を充填材投入孔封鎖用金属キャップ（２５−４）で封鎖した状態の模式図（図１０（ａ））と、図１０（ａ）の破線で囲まれた部分Ｓの柱体（２３）の側面と基台（２３）の断面の模式図（図１０（ｂ））である。
【図１１】実施態様例２において、柱体（２１）の基台（２３）中の埋設部分を、基台（２３）を掘削して露出させた状態の模式図（図１１（ａ））と、図１１（ａ）の破線で囲まれた部分Ｓの断面の模式図（図１１（ｂ））である。
【図１２】実施態様例２において、柱体（２１）の劣化部分（２２）を含む部分から基台（２３）中の埋設部分までの柱体（２１）の側面を第１の被覆樹脂材（２４）で被覆した状態の模式図（図１２（ａ））と、図１２（ａ）の破線で囲まれた部分Ｓの断面の模式図（図１２（ｂ））である。
【図１３】実施態様例２において、第２の被覆樹脂材（２４−１）の上をさらに第２の被覆樹脂材（２４−２）で巻き込んで被覆した状態の模式図（図１３（ａ））と、図１３（ａ）の破線で囲まれた部分Ｓの断面の模式図（図１３（ｂ））である。
【図１４】第１の被覆樹脂材（２４−１）及び２（２４−２）で被覆した状態のまま、柱体（２１）の基台（２３）下に埋設していた部分を、再び基台（２３）中に埋設して基台（２３）に固定された柱体（２１）の状態の模式図（図１４（ａ））と、図１４（ａ）の破線で囲まれた部分Ｓの断面の模式図（図１４（ｂ））である。
【発明を実施するための形態】
【００１０】
〔本発明１〕
本発明１は、柱体（１１、２１）の末端が基台（１３、２３）に埋設して前記柱体（１１、２１）が前記基台（１３、２３）に固定されている柱体（１１、２１）の補強工法である。
【００１１】
（柱体）
本発明１が対象とする柱体（１１、２１）（以下、柱体（１１、２１）ともいう）は、柱体（１１、２１）の末端が基台（１３、２３）に埋設して固定されているものである（図１及び５の街路灯（１２）と道路標識支柱の例を示す）。  以下では、柱体（１１、２１）の基台（１３、２３）に埋設された末端を固定末端（１１−３、２１−３）、柱体（１１、２１）の基台（１３、２３）に埋設されていない方の末端を支持末端、柱体（１１、２１）の外部に露出した部分で、埋設部分の近傍の部分を根元という。
【００１２】
柱体（１１、２１）としては、例えば、電柱、道路標識支柱（２２）、街路灯（１２）、カーブミラー、歩道橋の支柱等の外部に設置される産業・生活基盤用の支柱で、支柱の支持末端側に変圧器、道路標識のような重量物や、電灯のような機能部品が設置され、その用途目的からΓ字型である場合も多く、根元に大きな負荷がかかっている柱体（１１、２１）が挙げられ、Γ字型である柱体（１１、２１）を対象とすることが好ましい。
【００１３】
柱体（１１、２１）の材質は金属、プラスチック、セラミックス、コンクリート等が挙げられるが、柱体（１１、２１）側面の劣化の影響がより大きく生じる金属を対象とすることが好ましく、金属としては鉄、ステンレス、貴金属、鉛当が挙げられるが、産業・生活基盤用に広く使用され、柱体（１１、２１）側面の劣化の影響がより大きい鉄を対象とすることが好ましい。
【００１４】
柱体（１１、２１）は、内部が中空になっていない場合も内部が中空になっている管体である場合もあるが、柱体（１１、２１）側面の劣化の影響がより大きい管体を対象とすることが好ましく、金属管、プラスチック管、セラミックス管、コンクリート管等を対象とすることがより好ましく、金属管を対象とすることが更に好ましく、鉄管であることが更に好ましい。
【００１５】
（劣化部分）
本発明１の対象となる柱体（１１、２１）は側面に劣化部分（１２、２２）を有する。  劣化部分（１２、２２）は、柱体（１１、２１）の表面の材質が、大気中の塩；硫黄ガス；炭酸ガス等の有害ガス；硫酸等の酸；これらを含む黄砂や雨が接触することによって化学的に損傷が進行する場合や、人、自転車、車等の接触・衝突による物理的な損傷を受けた場合が挙げられる。
【００１６】
柱体（１１、２１）の根元の側面の劣化部分（１２、２２）は、人、自転車、車等の接触・衝突による物理的な損傷だけでなく、柱体（１１、２１）の表面の材質が人、犬、猫等の排泄物が接触して進行する場合も考えられる。
【００１７】
柱体（１１、２１）が管体の場合、劣化部分は、根元近傍に柱体（１１、２１）の周囲を半周する程度又はそれ以上の長さにわたり腐食され、金属外管部分（１１−１．２１−１）が喪失して、管内が外部と連通してしまう程度になる場合もある。
【００１８】
根元に負荷のかかる柱体（１１、２１）の場合、柱体（１１、２１）の倒壊又は折損により繋がり易いとの観点から、柱体（１１、２１）の根元の側面の劣化部分（１２、２２）を対象とすることが好ましく、柱体（１１、２１）の側面の基台（１３、２３）から５０ｃｍ以下の高さにある劣化部分（１２、２２）を対象とすることがより好ましく、３０ｃｍ以下の高さにある劣化部分（１２、２２）を対象とすることが更に好ましく、１０ｃｍ以下の高さにある劣化部分（１２、２２）を対象とすることが更に好ましく、５ｃｍ以下の高さにある劣化部分（１２、２２）を対象とすることが更に好ましく、これらの高さから根元に至るまである劣化部分（１２、２２）を対象とすることが更に好ましい。
【００１９】
（基台）
本発明１が対象とする基台（１３、２３）は、柱体（１１、２１）の固定末端（１１−３、２１−３）側が埋設され、柱体（１１、２１）を固定する。  基台（１３、２３）は、土で構成される大地そのもの、又は一定の型枠に充填された土で形成されたものでよく、この場合は、柱体（１１、２１）の固定末端（１１−３、２１−３）側は土に直接埋め込まれていることになる。  基台（１３、２３）は、硬化性樹脂組成物の硬化体又は水硬性組成物の硬化体又はその硬化体状に化粧レンガ等の歩道用敷石が敷き詰められていてよく、産業・生活基盤用の支柱では、コンクリート等の水硬性組成物の硬化体である場合が多い。
【００２０】
（補修方法１）
本発明１は、柱体（１１、２１）の劣化部分（１２、２２）を含む部分から基台（１３、２３）中の埋設部分までの柱体（１１、２１）の側面を、  被覆樹脂材（１４−１及び２、２４−１及び２）で被覆して、基台（１３、２３）に埋設して基台（１３、２３）に固定する柱体（１１、２１）の補強工法である。
【００２１】
被覆樹脂材（１４−１及び２、２４−１及び２）は、強度及び耐蝕性の観点から、
繊維ネット、樹脂フィルム、繊維強化樹脂（ＦＲＰ（Fiber Reinforced Plastics））シート等であることが好ましく、樹脂フィルム及び／又は繊維強化樹脂シートであることがより好ましく、繊維強化樹脂シートであることが更に好ましい。
【００２２】
繊維ネットとしては、  ナイロン等の従来から使用される汎用樹脂製繊維；  帝人テクノプロダクツ社「テクノーラ」「トワロン」（以上、登録商標）、東レ・デュポン社「ケブラー」（登録商標）等のパラ系アラミド繊維；  東洋紡社「ダイニーマ」（登録商標）等の超高分子量ポリエチレン繊維；  クラレ社「ベクトラン」（登録商標）等のポリアリレート繊維；及び
東洋紡社「ザイロン」（登録商標）等のＰＢＯ（ポリパラフェニレンベンゾビスオキサザール）繊維；
東レ社「トレカ」（登録商標）、東邦テナックス社「テナックス」（登録商標）、三菱レイヨン社「パイロフィル」（登録商標）等の炭素繊維からなる群から選ばれる少なくとも１種以上の繊維で構成されるネットが好ましい。
【００２３】
樹脂フィルムとしては、ポリエチレン、変性ポリエチレン、ポリプロピレン、変性ポリプロピレン、ポリブテン、ポリエステル、ビニルエステル、ポリ塩化ビニル、エチレン酢酸ビニル共重合体、エポキシ樹脂、フッ素樹脂、熱可塑性エラストマー、シリコーンゴム、ポリイミド等のエンジニアプラスチックを、所望の強度に応じで厚みと延伸条件等の製造条件を調整してフィルム化したものが使用できる。市販品としては、東レ社「ルミラー」（登録商標）等の二軸延伸ポリエステルフィルム、帝人デュポンフィルム社「テイジンテトロンフィルム」「メリネックス」「マイラー」「テフレックス」（以上、登録商標）等のＰＥＴフィルム；帝人デュポンフィルム社「テオネックス」（登録商標）等のＰＥＮ（ポリエチレンナフタレート）フィルムが挙げられる。
【００２４】
繊維強化樹脂シートとしては、繊維ネット及び樹脂フィルムで挙げられた好適樹脂の繊維又はガラス繊維を練り込んでフィルム化する、又はこれらの樹脂をネット化したシートを骨格基材として、ネット化したシートに、例えば光又は熱で硬化する、例えばアクリレート系、エポキシ系等の硬化性樹脂を含浸・硬化して形成されたものが好ましい。
【００２５】
被覆樹脂材（１４−１及び２、２４−１及び２）の厚みは、所望の強度を達成するように調整されるが、被覆された柱体（１１、２１）部分の外観、基台（１３、２３）に埋設されたときの固定性等の観点から、過剰に大きくならないようにすることが好ましく、０．１〜２０ｍｍが好ましく、１〜１５ｍｍがより好ましく、２〜１０ｍｍが更に好ましい。
【００２６】
本発明１では、被覆樹脂材（１４−１及び２、２４−１及び２）で、柱体（１１、２１）の劣化部分（１２、２２）を含む部分から基台（１３、２３）中の埋設部分までの柱体（１１、２１）の側面を被覆する。
【００２７】
被覆樹脂材（１４−１及び２、２４−１及び２）の被覆高さは、少なくとも基台（１３、２３）表面から柱体（１１、２１）の劣化部分（１２、２２）が全て被覆される高さであることが好ましく、柱体（１１、２１）の劣化部分（１２、２２）の最高端よりも少なくとも５ｃｍ高い部分まで被覆される高さであることがより好ましく、柱体（１１、２１）の劣化部分（１２、２２）の最高端よりも少なくとも１０ｃｍ高い部分まで被覆される高さであることが更に好ましい。
【００２８】
柱体（１１、２１）の基台（１３、２３）中の埋設部分については、被覆樹脂材（１４−１及び２、２４−１及び２）が、基台（１３、２３）表面（２３−１）上に露出する柱体（１１、２１）とほぼ同じ断面径の部分の側面を被覆していることが好ましく、固定末端（１１−３、２１−３）までの側面を被覆していることがより好ましい。
【００２９】
柱体（１１、２１）が安定して固定される観点から、柱体（１１、２１）が基台（１３、２３）に埋設された柱体（１１、２１）の固定末端側に、柱体（１１、２１）の軸方向から基台（１３、２３）中に末広がりに軸対称に例えば２本、４本、６本、８本のアンカー用リブが張り出して設けてあることが好ましく、アンカー用リブが柱体（１１、２１）の固定末端と共に軸方向に垂直な底板に固定されていることがより好ましい。
【００３０】
この場合、アンカー用リブ以外の部分を、柱体（１１、２１）の劣化部分（１２、２２）を含む部分から固定末端までお柱体（１１、２１）の側面を第１の被覆樹脂材（１４−１、２４−１）で被覆し、アンカー用リブよりも上方の側面を、第１の被覆樹脂材（１４−１、２４−１）の上に重ねて第２の被覆樹脂材（１４−２、２４−２）を被覆するとよい。第２の被覆樹脂材（１４−２、２４−２）を軸の周囲を横巻にして被覆してもよい。
【００３１】
このように第１の被覆樹脂材（１４−１、２４−１）と第２の被覆樹脂材（１４−２、２４−２）とを被覆すると、第１の被覆樹脂材（１４−１、２４−１）が再度基台（１３、２３）中に埋設されて基材（１３、２３）中で固定されるため、第２の被覆樹脂材（１４−２、２４−２）が軸方向へのズレを抑制できる。
【００３２】
本発明１では、柱体（１１、２１）の基台（１３、２３）中の埋設部分は、基台（１３、２３）の構成部材を柱体（１１、２１）に沿って掘り出して、柱体（１１、２１）の基台（１３、２３）中の埋設部分を露出させ、その露出部分を被覆樹脂材（１４−１及び２、２４−１及び２）で被覆し、その後、掘り出した基台（１３、２３）の構成部材を埋め戻すか、基台（１３、２３）の構成部材を破壊・粉砕して柱体（１１、２１）に沿って掘り出した場合は、掘り出された基台（１３、２３）の構成部材に代えて、コンクリート等の硬化性組成物を露出部分の周りに流し込んで硬化させて新たに基台（１３、２３）の構成部材とする。
【００３３】
本発明１では、劣化部分の腐食を抑制するために、劣化部分の錆や汚れを除去した後を、劣化部分に上述したような硬化性樹脂を含浸して硬化させることが好ましく、さらにその上からパッチ部材（１５−２、２５−２）を貼着することが好ましい。
【００３４】
パッチ部材（１５−２、２５−２）（１５−２、２５−２）は、補修対象箇所を被覆できるだけの面積を有すればよく、四辺形に形成してもよく、円形や三角形、その他の多角形であっても良い。
【００３５】
パッチ部材（１５−２、２５−２）は、柱体（１１、２１）の表面に沿って劣化部分を被覆できるように屈曲性又は弾力性を有することが好ましい。屈曲性又は弾力性を有するパッチ部材（１５−２、２５−２）を構成するには、パッチ部材（１５−２、２５−２）がガラス、合成樹脂あるいは金属で作られた板状の部材であることが好ましい。
【００３６】
パッチ部材（１５−２、２５−２）がガラス又は金属で構成されている場合、パッチ部材（１５−２、２５−２）はガラスクロスや金属繊維で構成された布帛状であってよい。パッチ部材（１５−２、２５−２）が合成樹脂又は金属で構成されている場合は、屈曲性又は弾力性を有する薄いシート状であってもよいし、硬めのシート状である場合であっても屈曲性を付与できる観点から、所定方向に延びる可変部が形成されていることが好ましく、この可変部は、例えば溝を形成して肉薄とし、容易に屈曲可能にした部分であってよい。
【００３７】
パッチ部材（１５−２、２５−２）が合成樹脂で構成されている場合、合成樹脂としては、強度、屈曲性、弾力性及び防水性の観点から、ポリエチレン、変性ポリエチレン、ポリプロピレン、変性ポリプロピレン、ポリブテン、ポリエステル、ビニルエステル、ポリ塩化ビニル、エチレン酢酸ビニル共重合体、エポキシ樹脂、フッ素樹脂、熱可塑性エラストマー、シリコーンゴム、ポリイミド等のエンジニアプラスチック又はゴム類が好ましく、液体が水の場合はポリエステル、ビニルエステル又はエポキシ樹脂が好ましく、液体が溶剤であっても溶剤耐性に優れるビニルエステルがより好ましい。
【００３８】
パッチ部材（１５−２、２５−２）は、さらに、強度、屈曲性、弾力性及び防水性の観点から、合成樹脂と繊維で構成されるＦＲＰ（Fiber  Reinforced  Plastics）が好ましい。
ＦＲＰの場合、合成樹脂はポリエステル、エポキシ樹脂及びビニルエステルであり、繊維はガラス繊維であることがより好ましい。
【００３９】
パッチ部材（１５−２、２５−２）の厚みは、工程２で金属管を防水性に囲って覆う包囲カバーの大きさが不必要に大きくならないようにする観点から、薄いことが好ましく、０．１〜１０ｍｍが好ましく、０．２〜５ｍｍがより好ましく、０．３〜３ｍｍが更に好ましく、０．４〜２ｍｍが更に好ましく、０．４〜１ｍｍが更に好ましい。
【００４０】
（補修方法２）
柱体（１１、２１）が管体である場合、柱体（１１、２１）の劣化部分（１２、２２）の近傍の強度を確保してから、劣化部分の補修をすることが好ましく、向上する観点から、柱体（１１、２１）の管内に、  基台（１３、２３）中の埋設部分から柱体（１１、２１）の劣化部分（１２、２２）を含む部分の高さまで硬化性組成物を充填して硬化させることが好ましい。
【００４１】
硬化性組成物としては、加熱、光照射、二剤の混合発熱等により硬化する硬化性樹脂組成物又はコンクリート等の水硬性組成物が挙げられるが、強度の向上効果の簡単から、コンクリート等の水硬性組成物であることが好ましい。
【００４２】
柱体（１１、２１）の管内に、硬化性組成物を充填して硬化する場合は、柱体（１１、２１）の劣化部分（１２、２２）の近傍の強度を向上する観点から、
硬化性組成物の充填高さは、少なくとも基台（１３、２３）表面から柱体（１１、２１）の劣化部分（１２、２２）の最高端の高さであることが好ましく、最高端よりも少なくとも１０ｃｍ高いことがより好ましく、最高端よりも少なくとも２０ｃｍ高いことが更に好ましい。
【００４３】
劣化部分が、柱体（１１、２１）の根元近傍の低位置にある場合であっても、基台表面（１−１、２３−１）から、基台（１３、２３）中に埋設された部分の充填深さの好ましくは１０〜１００％、より好ましくは２０〜８０％、更に好ましくは４０〜６０％程度の高さまで硬化性組成物を充填することが好ましい。
【００４４】
柱体（１１、２１）の管内に、硬化性組成物を充填して硬化する場合は、被覆樹脂材（１４−１及び２、２４−１及び２）の被覆高さは、
少なくとも硬化性組成物の充填高さと同じであることが好ましく、
柱体（１１、２１）の靭性・弾性が硬化性組成物の充填高さよりも高い部分と低い部分とで異なることによる硬化性組成物の充填高さ近傍柱体（１１、２１）に加わる負荷に対する補強の観点から、硬化性組成物の充填高さよりも少なくとも１０ｃｍ高いことがより好ましく、少なくとも２０ｃｍ高いことが更に好ましく、劣化部分が、柱体（１１、２１）の根元近傍の低位置にある場合であっても、基台表面（１−１、２３−１）上の硬化性組成物の充填高さの、好ましくは１０〜１００％、より好ましくは２０〜８０％、更に好ましくは４０〜６０％程度の高さまであることである。
【００４５】
（本発明１の効果）
本発明１によれば、柱体（１１、２１）の劣化部分（１２、２２）を、柱体（１１、２１）の倒壊又は折損を抑止するために十分な補強を、簡易に行うことができる。
【００４６】
本発明１は、さらに柱体（１１、２１）の根元の近傍に劣化部分（１２、２２）があり、例えば、電柱、道路標識支柱（２２）、街路灯（１２）、カーブミラー、歩道橋の支柱等の外部に設置される産業・生活基盤用の支柱で、支柱の支持末端側に変圧器、道路標識のような重量物や、電灯のような機能部品が設置されるΓ字型で、根元に大きな負荷がかかっている場合にも有効に補強できる。
【００４７】
本発明１は以上の効果を奏し、劣化部分（１２、２２）が問題となる柱体（１１、２１）を補強することで、柱体（１１、２１）の交換をすることなくそのまま使用できることから、経済的効果が大きいだけでなく、例えば、デザイナーによって設計された意匠性の高い街路灯（１２）を長期間にわたり使用できるようになり、都市景観の保全にも有用である。
【００４８】
〔本発明２〕
本発明２は、本発明１で製造されうる、本発明１における基台（１３、２３）に埋設して固定される被覆樹脂材（１４−１及び２、２４−１及び２）で被覆された柱体（１１、２１）である。
【００４９】
本発明２によれば、例えば、電柱、道路標識支柱（２２）、街路灯（１２）、カーブミラー、歩道橋の支柱等の外部に設置される産業・生活基盤用の安全性が高く、経済的コストの増大を抑制せずに使用することができ、例えば、デザイナーによって設計された意匠性を維持できるため都市景観の保全にも有用である。
【００５０】
〔実施態様例１〕
【００５１】
（柱体）（１）Γ字型の街路灯（１２）：高さ約１０ｍ、アーム長約３ｍ、肉厚約１ｃｍの鉄管で、基台（１３）に埋設された部分が約５０ｃｍ、柱体（１１）の固定末端近傍に、三角版状のアンカー用リブ（１１−２）が軸周りに互いに４５°の角度をなして８枚張り出していて、固定末端と共に底板の固定されている（図面には４枚だけ示した）。底板はさらにボルト（図示していない）で基台（１３）に螺嵌され固定されている。（２）基台（１３）：コンクリート硬化体
【００５２】
（劣化部分）  基台（１３）の根元から表面から５ｃｍの高さまで、根元周りに半周の範囲に腐食が広がっている。
【００５３】
（被覆樹脂材の原材料）（１）繊維ネット：アラミド繊維ネット（引張強度約３０００ＭＰａ、繊維直径約１２μｍ）（２）硬化性樹脂：熱硬化性ビニルエステル樹脂（液状のビニルエステル、硬化剤及び硬化促進剤を含む液状混合物）
（３）パッチ部材（１５−２、２５−２）：メス型上に離型剤を塗布し、その上に、硬化性樹脂を塗布し、その上に重ねて繊維ネットを配置し、さらに重ねて硬化性樹脂を塗布してパッチ部材（１５−２、２５−２）シートを形成させる。硬化性樹脂が硬化した後、パッチ部材（１５−２、２５−２）シートをメス型から剥離させ、長さ約１５ｃｍ、幅約１０ｃｍ、厚み約２．５ｍｍに切断してパッチ部材（１５−２、２５−２）とした。
【００５４】
（補強方法）（１）柱体（１１）の基台（１３）に埋設された部分の周囲の基台（１３）部位を、ドリルで掘削して、柱体（１１）の基台（１３）に埋設された部分を露出させて、高圧水で露出部分の汚れを除去した（図２）。（２）劣化部分の錆及び汚れを除去して光沢表面にした後、劣化部分充填樹脂（１５−１）として硬化性樹脂を劣化部分と劣化部分近傍の柱体（１１）の側面に充填して、その上からパッチ部材（１５−２、２５−２）を貼着した（図３）。（３）劣化部分（１２）の最高端の上方約２０ｃｍから柱体（１１）の固定末端までの、アンカー用リブを除く柱体（１１）の側面に、硬化性樹脂（１５−１）を塗布して、その上に重ねて繊維ネットを配置し、さらに重ねて硬化性樹脂を塗布して、硬化性樹脂を硬化させて第１の被覆樹脂材（１４−１）を形成させる（図３）。（４）アンカー用リブの上端より上方を、第１の被覆樹脂材（１４−１）の上端から約２０ｃｍ上方まで、第１の被覆樹脂材の表面と露出している柱体（１１）の側面に、第１の被覆樹脂材（１４−１）と同様にして第２の被覆樹脂材（１４−２）を形成させる（図４）。（３）柱体（１１）の露出部分の周辺に未硬化コンクリートを充填して基台（１３）の構成部位を修復した（図５）。（４）充填した未硬化コンクリートを養生して硬化させた（図５）。
【００５５】
〔実施態様例２〕
【００５６】
（柱体）（１）Γ字型の街路灯（２２）：高さ約１０ｍ、アーム長約５ｍ、肉厚約１ｃｍの鉄管で、基台（２３）に埋設された部分が約５０ｃｍ、柱体（２１）の固定末端近傍に、三角版状のアンカー用リブ（２１−２）が軸周りに互いに４５°の角度をなして８枚張り出していて、固定末端と共に底板の固定されている（図面には４枚だけ図示した）。底板はさらにボルト（図示していない）で基台（２３）に螺嵌され固定されている。（２）基台（２３）：コンクリート
【００５７】
（劣化部分）  基台（２３）の根元から表面から５ｃｍの高さまで、根元周りに半周の範囲に腐食が広がっている。
【００５８】
（被覆樹脂材の原材料）
実施態様例１と同じ原材料を使用した。
【００５９】
（補強方法）（１）柱体（２１）の劣化部分（２２）の最高端の上方約５０ｃｍに管内に連通するようにサンダー等で硬化性組成物投入孔（２１−４）を切抜き、硬化性組成物投入孔（２１−４）から硬化性組成物（未硬化コンクリート）を劣化部分（２２）の最高端の上方３０ｃｍまで充填した（図７〜９）。（２）充填した未硬化コンクリートを養生して硬化させた。（３）硬化性組成物投入孔（２１−４）を、硬化性組成物投入孔封鎖用金属キャップ（２５−３）を嵌め込んで溶接して封鎖した（図１０）。（３）充填した未硬化コンクリートが硬化した後、柱体（２１）の基台（１３、２３）に埋設された部分の周囲の基台（２３）部位を掘削して、柱体（２１）の基台（２３）に埋設された部分を露出させて、高圧水で露出部分の汚れを除去した（図１１）。（４）硬化性組成物投入孔封鎖用金属キャップ（２５−３）の最高端の上方約１０ｃｍから柱体（２１）の固定末端までの、アンカー用リブを除く柱体（２１）の側面に、硬化性樹脂（２５−１）を塗布して、その上に重ねて繊維ネットを配置し、さらに重ねて硬化性樹脂を塗布して、硬化性樹脂を硬化させて第１の被覆樹脂材（２４−１）を形成させる（図１２）。（４）アンカー用リブの上端より上方を、第１の被覆樹脂材（２４−１）の上端から約２０ｃｍ上方まで、第１の被覆樹脂材の表面と露出している柱体（２１）の側面に、第１の被覆樹脂材（２４−１）と同様にして第２の被覆樹脂材（２４−２）を形成させる（図１３）。（５）柱体（２１）の露出部分の周辺に未硬化コンクリートを充填して基台（２３）の構成部位を修復した。
【符号の説明】
【００６０】
１１      柱体（金属製街路灯）
１１−１  柱体の金属外管部分
１１−２  アンカー用リブ
１１−３  固定末端
１１−４  底板
１２      劣化部分
１３      基台
１３−１  基台の表面
１３−２  基台下の埋設部分を露出させるために形成された基台の掘削孔
１４−１  第１の被覆樹脂材
１４−２  第２の被覆樹脂材
１５−１  劣化部分充填樹脂
１５−２  パッチ部材
【００６１】
２１      柱体（金属製道路標識支柱）
２１−１  柱体の金属外管部分
２１−２  アンカー用リブ
２１−３  固定末端
２１−４  底板
２１−５  硬化性組成物投入孔
２２      劣化部分
２３      基台（コンクリート硬化体）
２３−１  基台の表面
２３−２  基台下の埋設部分を露出させるために形成された基台の掘削孔
２４      被覆樹脂材
２５−１  劣化部分充填樹脂
２５−２  パッチ部材
２５−２  鉄筋
２５−３  充填されたコンクリート
２５−４  硬化性組成物投入孔封鎖用金属キャップ
【図１】
2018109351.tif 000003
【図２】
2018109351.tif 000004
【図３】
2018109351.tif 000005
【図４】
2018109351.tif 000006
【図５】
2018109351.tif 000007
【図６】
2018109351.tif 000008
【図７】
2018109351.tif 000009
【図８】
2018109351.tif 000010
【図９】
2018109351.tif 000011
【図１０】
2018109351.tif 000012
【図１１】
2018109351.tif 000013
【図１２】
2018109351.tif 000014
【図１３】
2018109351.tif 000015
【図１４】
2018109351.tif 000016